(57)【要約】【課題】上りリンクデータと受信品質情報および上りリンクデータとＡＣＫ／ＮＡＣＫを共に送信する際の送信方法を指定するための制御情報を少なくするとともに、送信方法を変更する際に発生する遅延を短縮し、基地局装置から指定される上りリンクデータの変調方式および符号化率に対する追従性を持たせる。【解決手段】基地局装置は、上りリンクに対するデータ送信を許可する信号に、上りリンクデータチャネルに対する時間または周波数成分を特定するリソース割り当て情報を含めて移動局装置へ送信し、移動局装置は、リソース割り当て情報から、上りリンクデータチャネルに上りリンクデータと共に配置されるＡＣＫまたはＮＡＣＫのシンボル数を算出し、算出されたシンボル数でＡＣＫまたはＮＡＣＫを上りリンクデータと共に上りリンクデータチャネルを使用して基地局装置へ送信する。【選択図】図３
2010104033.tif 000002
【特許請求の範囲】
【請求項１】
移動局装置が下りリンクデータに対するＨＡＲＱ（Hybrid Automatic Repeat Request）のＡＣＫまたはＮＡＣＫを基地局装置へ送信する移動通信システムであって、
前記基地局装置は、
上りリンクに対するデータ送信を許可する信号に、上りリンクデータチャネルに対する時間または周波数成分を特定するリソース割り当て情報を含めて前記移動局装置へ送信し、
前記移動局装置は、
前記リソース割り当て情報から、前記上りリンクデータチャネルに上りリンクデータと共に配置されるＡＣＫまたはＮＡＣＫのシンボル数を算出し、
前記算出されたシンボル数でＡＣＫまたはＮＡＣＫを前記上りリンクデータと共に前記上りリンクデータチャネルを使用して前記基地局装置へ送信することを特徴とする移動通信システム。
【請求項２】
移動局装置が下りリンクデータに対するＨＡＲＱ（Hybrid Automatic Repeat Request）のＡＣＫまたはＮＡＣＫを基地局装置へ送信する移動通信システムにおける移動局装置であって、
上りリンクに対するデータ送信を許可する信号に含まれる、上りリンクデータチャネルに対する時間または周波数成分を特定するリソース割り当て情報を前記基地局装置から受信する手段と、
前記リソース割り当て情報から、前記上りリンクデータチャネルに上りリンクデータと共に配置されるＡＣＫまたはＮＡＣＫのシンボル数を算出する手段と、
前記算出されたシンボル数でＡＣＫまたはＮＡＣＫを前記上りリンクデータと共に前記上りリンクデータチャネルを使用して前記基地局装置へ送信する手段と、を備えることを特徴とする移動局装置。
【請求項３】
移動局装置が下りリンクデータに対するＨＡＲＱ（Hybrid Automatic Repeat Request）のＡＣＫまたはＮＡＣＫを基地局装置へ送信する移動通信システムにおける基地局装置であって、
上りリンクに対するデータ送信を許可する信号に、上りリンクデータチャネルに対する時間または周波数成分を特定するリソース割り当て情報を含めて前記移動局装置へ送信する手段と、
前記移動局装置によって前記リソース割り当て情報から算出されたシンボル数のＡＣＫまたはＮＡＣＫが上りリンクデータと共に配置された前記上りリンクデータチャネルを前記移動局装置から受信し、前記上りリンクデータチャネルから前記ＡＣＫまたはＮＡＣＫを抽出する手段と、を備えることを特徴とする基地局装置。
【請求項４】
移動局装置が下りリンクデータに対するＨＡＲＱ（Hybrid Automatic Repeat Request）のＡＣＫまたはＮＡＣＫを基地局装置へ送信する移動通信システムにおける移動局装置の通信方法であって、
上りリンクに対するデータ送信を許可する信号に含まれる、上りリンクデータチャネルに対する時間または周波数成分を特定するリソース割り当て情報を前記基地局装置から受信し、
前記リソース割り当て情報から、前記上りリンクデータチャネルに上りリンクデータと共に配置されるＡＣＫまたはＮＡＣＫのシンボル数を算出し、
前記算出されたシンボル数でＡＣＫまたはＮＡＣＫを前記上りリンクデータと共に前記上りリンクデータチャネルを使用して前記基地局装置へ送信することを特徴とする通信方法。
【請求項５】
移動局装置が下りリンクデータに対するＨＡＲＱ（Hybrid Automatic Repeat Request）のＡＣＫまたはＮＡＣＫを基地局装置へ送信する移動通信システムにおける基地局装置の通信方法であって、
上りリンクに対するデータ送信を許可する信号に、上りリンクデータチャネルに対する時間または周波数成分を特定するリソース割り当て情報を含めて前記移動局装置へ送信し、
前記移動局装置によって前記リソース割り当て情報から算出されたシンボル数のＡＣＫまたはＮＡＣＫが上りリンクデータと共に配置された前記上りリンクデータチャネルを前記移動局装置から受信し、前記上りリンクデータチャネルから前記ＡＣＫまたはＮＡＣＫを抽出することを特徴とする通信方法。
【発明の詳細な説明】
【技術分野】
【０００１】
本発明は、移動局装置が、基地局装置から受信した信号の受信品質を測定し、受信品質情報を前記基地局装置へ送信する一方、基地局装置が、移動局装置から受信した受信品質情報に基づいてリソースの割り当てを行なう移動通信システム、これに適用可能な基地局装置および移動局装置並びに通信方法に関する。
【背景技術】
【０００２】
近時、移動通信システムの分野においては、データ通信の需要が高まっている。そして、データ通信の需要に伴う通信データの増加に対応した、高い周波数利用効率が得られる様々な技術が提案されている。周波数利用効率を高める技術の１つに、ＯＦＤＭＡ（Orthogonal Frequency Division Multiple Access：直交周波数分割多元接続）がある。このＯＦＤＭＡは、セルで構成される通信エリアにおいて、すべてのセルで同じ周波数を用いて通信する際の変調方式の技術に関するものであり、高速なデータ通信を実現することができる。
【０００３】
ＯＦＤＭＡシステムにおける送信パケットのスケジューリングでは、広帯域のサブキャリアにおける下り回線状態の受信品質を示す情報であるＣＱＩ（Channel Quality Indicator）を移動局装置が基地局装置に送信し、基地局装置は、各移動局装置から送信された広帯域のサブキャリアのＣＱＩに基づいて、パケットのスケジューリングを行なうという方法が知られている。
【０００４】
また、複数のサブキャリアを用いるＯＦＤＭ（Orthogonal Frequency Division Multiplexing：直交周波数分割多重）システムにおける送信パケットのスケジューリングにおいて、移動局装置で下りの各チャネル状態（周波数特性、すなわち、周波数に依存する伝送損失等の特性）を評価し、各チャネル状態を量子化した情報を基地局装置に送信し、基地局装置は、送信された情報に基づいて各移動局装置に割り振るサブキャリアを決定するという技術も知られている（特許文献１）。
【０００５】
図１４は、従来の基地局装置と移動局装置との通信方法について説明するための図である。基地局装置から受信品質測定に用いる下り回線の下りリンク情報を受信した移動局装置は、その下りリンク情報に基づいて各チャネルの受信品質を測定し、伝搬路のチャネルプロファイルを作成する。
【０００６】
移動局装置が作成したチャネルプロファイルは、上り回線を用いて、受信品質情報として移動局装置から基地局装置に送信される。基地局装置は、その受信品質情報に基づいて、基地局装置から移動局装置に対して送信する信号に対して適応変調符号化や周波数選択スケジューリングの処理を行なう。
【０００７】
この移動局装置による基地局装置への受信品質情報の送信に関して、国際的な標準化プロジェクトである３ＧＰＰ（3rd Generation Partnership Project）で検討されている第３世代無線アクセスの進化（Evolved Universal Terrestrial Radio Access）では、専用の上りリンク制御チャネル（Physical Uplink Control Channel：以下、「ＰＵＣＣＨ」と呼称する。）を用いて送信することが検討されている。また、上りリンクデータチャネル（Physical Uplink Shared Channel：以下、「ＰＵＳＣＨ」と呼称する。）を用いて、上りリンクデータと受信品質情報を同時に送信することも検討されている。
【０００８】
例えば、非特許文献１では、移動局装置から基地局装置へ受信品質情報を送信する際に、要求される受信品質情報が異なるサービスの種類によって、ＰＵＣＣＨ、もしくは、ＰＵＳＣＨを用いて受信品質情報を送信しようとする提案がなされている。
【先行技術文献】
【特許文献】
【０００９】
【特許文献１】特開２００５−１３０４９１号公報
【非特許文献】
【００１０】
【非特許文献１】“CQI handling during DRX”、3GPP、TSG RAN WG2 Meeting #58、R2-071901、2007年5月
【発明の概要】
【発明が解決しようとする課題】
【００１１】
しかしながら、従来の技術では、移動局装置から基地局装置に対して、上りリンクデータと受信品質情報を同時に送信する際の各情報の配置に関する具体的な記載はない。
【００１２】
ここで、各情報の配置とは、移動局装置が基地局装置へ上りリンクデータと受信品質情報を同時に送信する際に、各情報（上りリンクデータ、および、受信品質情報）が送信データとして具体的にどのように配置されるのか、すなわち、各情報が、ＰＵＳＣＨのリソースユニット（ＰＵＳＣＨの時間−周波数ブロックの最小単位）に、具体的にどのように配置されるのかを示している。
【００１３】
移動局装置から基地局装置に上りリンクデータと受信品質情報が同時に送信された場合、基地局装置では、送信された上りリンクデータと受信品質情報の配置を知ることにより、各情報を分離することができる。基地局装置は、同時に送信された上りリンクデータと受信品質情報から、受信品質情報のみを取り出し、取り出された情報に基づいて、適応変調符号化、および／もしくは、周波数選択スケジュールを施すことにより、下りリンクデータを効率良く送信することができる。
【００１４】
この移動局装置から、同時に送信される上りリンクデータと受信品質情報の配置を指定するための基地局装置からの制御信号は、その情報量を小さく保つ必要がある。移動局装置が受信品質情報を送信する度に、基地局装置から各情報の配置を指定する制御信号を送信していては、下りリンクのリソースを無駄に使用することになってしまう。
【００１５】
また、移動局装置から同時に送信される上りリンクデータと受信品質情報の配置を変更する際の遅延を小さくしたいという要求がある。移動局装置から上りリンクデータと受信品質情報を同時に送信する際に、各情報の配置の変更に大きな遅延が発生してしまうと、受信品質情報が基地局装置に送信されるまでに大きな遅延が発生することになる。基地局装置は、移動局装置から送信される受信品質情報に応じて、適応変調符号化、および／もしくは、周波数選択スケジューリングを下りリンクデータに施す。
【００１６】
受信品質情報の送信に大きな遅延が伴ってしまうと、移動局装置にとっての最適な変調符号、下りリンクデータ送信に使用される最適な周波数帯が変化してしまう。基地局装置が、大きな遅延を伴った受信品質情報に基づいて、適応変調符号化、および／もしくは、周波数選択スケジューリングを行なったとしても、その時点での移動局装置の状況には適さない制御を行なうことになってしまう。これは、下りリンクのリソースを無駄に使用することになる。
【００１７】
さらに、上りリンクデータを送信する際に指定される変調方式および符号化率は、基地局装置が、移動局装置から送信される上りリンクデータや参照信号を基に伝搬路環境を推定して、指定されるものである。すなわち上りリンクデータと受信品質情報が同時に送信される場合に、受信品質情報の変調方式および符号化率は、基地局装置から指定された上りリンクデータの変調方式および符号化率に追従することができなければ、受信品質情報の送信成功確率が低下してしまう。
【００１８】
上記までに説明したことは、受信品質情報と同じ上りリンク情報である下りリンクデータに対するＨＡＲＱ（Hybrid Automatic Repeat Request）のＡＣＫ／ＮＡＣＫについても同様のことが言える。移動局装置から基地局装置に対して、上りリンクデータとＡＣＫ／ＮＡＣＫが同時に送信される場合、その配置を指定するための基地局装置からの制御信号は、その情報量を小さく保つ必要があり、また、その配置を変更する際の遅延は小さくなければならない。さらに、上りリンクデータと同時に送信されるＡＣＫ／ＮＡＣＫの変調方式および符号化率は、基地局装置から指定された上りリンクデータの変調方式および符号化率に追従しなければならない。この上りリンクデータとＡＣＫ／ＮＡＣＫを同時に送信する際の、各情報の配置を指定する制御情報の情報量、各情報の配置を変更する際に発生する遅延、上りリンクデータの変調方式および符号化率に対する追従性に関しても、従来の技術には具体的な記載がない。
【００１９】
すなわち、移動局装置から基地局装置に対して同時に送信される上りリンクデータと受信品質情報、および、上りリンクデータとＡＣＫ／ＮＡＣＫの送信方法をどのように指定するのかが重要な問題であり、基地局装置からの各情報の配置を指定する制御信号の情報量、各情報の配置を変更する際に発生する遅延、および、基地局装置から指定された上りリンクデータの変調方式および符号化率に対する追従性を考慮した形態が必要とされる。
【００２０】
本発明は、このような事情に鑑みてなされたものであり、基地局装置が、上りリンクデータと受信品質情報、および、上りリンクデータとＡＣＫ／ＮＡＣＫを同時に送信する際の送信方法を指定するための制御情報を少なくするとともに、送信方法を変更する際に発生する遅延を短縮し、さらに、基地局装置から指定される上りリンクデータの変調方式および符号化率に対する追従性を持った上りリンクデータと受信品質情報の配置、および、上りリンクデータとＡＣＫ／ＮＡＣＫの配置を実現することができる移動通信システム、移動局装置、基地局装置および通信方法を提供することを目的とする。
【課題を解決するための手段】
【００２１】
（１）上記の目的を達成するために、本発明は、以下のような手段を講じた。すなわち、本発明の移動通信システムは、移動局装置が下りリンクデータに対するＨＡＲＱ（Hybrid Automatic Repeat Request）のＡＣＫまたはＮＡＣＫを基地局装置へ送信する移動通信システムであって、前記基地局装置は、上りリンクに対するデータ送信を許可する信号に、上りリンクデータチャネルに対する時間または周波数成分を特定するリソース割り当て情報を含めて前記移動局装置へ送信し、前記移動局装置は、前記リソース割り当て情報から、前記上りリンクデータチャネルに上りリンクデータと共に配置されるＡＣＫまたはＮＡＣＫのシンボル数を算出し、前記算出されたシンボル数でＡＣＫまたはＮＡＣＫを前記上りリンクデータと共に前記上りリンクデータチャネルを使用して前記基地局装置へ送信することを特徴とする。
【００２２】
（２）また、本発明の移動局装置は、移動局装置が下りリンクデータに対するＨＡＲＱ（Hybrid Automatic Repeat Request）のＡＣＫまたはＮＡＣＫを基地局装置へ送信する移動通信システムにおける移動局装置であって、上りリンクに対するデータ送信を許可する信号に含まれる、上りリンクデータチャネルに対する時間または周波数成分を特定するリソース割り当て情報を前記基地局装置から受信する手段と、前記リソース割り当て情報から、前記上りリンクデータチャネルに上りリンクデータと共に配置されるＡＣＫまたはＮＡＣＫのシンボル数を算出する手段と、前記算出されたシンボル数でＡＣＫまたはＮＡＣＫを前記上りリンクデータと共に前記上りリンクデータチャネルを使用して前記基地局装置へ送信する手段と、を備えることを特徴とする。
【００２３】
（３）また、本発明の基地局装置は、移動局装置が下りリンクデータに対するＨＡＲＱ（Hybrid Automatic Repeat Request）のＡＣＫまたはＮＡＣＫを基地局装置へ送信する移動通信システムにおける基地局装置であって、上りリンクに対するデータ送信を許可する信号に、上りリンクデータチャネルに対する時間または周波数成分を特定するリソース割り当て情報を含めて前記移動局装置へ送信する手段と、前記移動局装置によって前記リソース割り当て情報から算出されたシンボル数のＡＣＫまたはＮＡＣＫが上りリンクデータと共に配置された前記上りリンクデータチャネルを前記移動局装置から受信し、前記上りリンクデータチャネルから前記ＡＣＫまたはＮＡＣＫを抽出する手段と、を備えることを特徴とする。
【００２４】
（４）また、本発明の通信方法は、移動局装置が下りリンクデータに対するＨＡＲＱ（Hybrid Automatic Repeat Request）のＡＣＫまたはＮＡＣＫを基地局装置へ送信する移動通信システムにおける移動局装置の通信方法であって、上りリンクに対するデータ送信を許可する信号に含まれる、上りリンクデータチャネルに対する時間または周波数成分を特定するリソース割り当て情報を前記基地局装置から受信し、前記リソース割り当て情報から、前記上りリンクデータチャネルに上りリンクデータと共に配置されるＡＣＫまたはＮＡＣＫのシンボル数を算出し、前記算出されたシンボル数でＡＣＫまたはＮＡＣＫを前記上りリンクデータと共に前記上りリンクデータチャネルを使用して前記基地局装置へ送信することを特徴とする。
【００２５】
（５）また、本発明の通信方法は、移動局装置が下りリンクデータに対するＨＡＲＱ（Hybrid Automatic Repeat Request）のＡＣＫまたはＮＡＣＫを基地局装置へ送信する移動通信システムにおける基地局装置の通信方法であって、上りリンクに対するデータ送信を許可する信号に、上りリンクデータチャネルに対する時間または周波数成分を特定するリソース割り当て情報を含めて前記移動局装置へ送信し、前記移動局装置によって前記リソース割り当て情報から算出されたシンボル数のＡＣＫまたはＮＡＣＫが上りリンクデータと共に配置された前記上りリンクデータチャネルを前記移動局装置から受信し、前記上りリンクデータチャネルから前記ＡＣＫまたはＮＡＣＫを抽出することを特徴とする。
【発明の効果】
【００２６】
本発明によれば、基地局装置は、移動局装置が上りリンクデータと受信品質情報とを共に送信する際の送信形式を指定する制御情報を移動局装置へ送信し、移動局装置は、制御情報を基地局装置から受信した場合は、指定された送信形式に基づいて上りリンクデータと受信品質情報とを共に基地局装置へ送信するので、各情報の配置などを指定するための制御信号の送信を省略することができ、また、下りリンクのリソースを有効に活用することができる。また、上りリンクのリソースの割り当て方に基づいて送信形式が特定されることから、上りリンクデータと受信品質情報の配置を変更することができ、各情報の配置を変更するための制御信号の送信を省略することができる。その結果、各情報の配置を変更する際に生じる遅延を短縮することができる。
【図面の簡単な説明】
【００２７】
【図１】本発明の第１の実施形態に係る基地局装置の概略構成を示すブロック図である。
【図２】本発明の第１の実施形態に係る移動局装置の概略構成を示すブロック図である。
【図３】本発明の第１の実施形態における情報の配置例を示す図である。
【図４】本発明の第１の実施形態における情報の配置例を示す図である。
【図５】本発明の第１の実施形態における情報の配置例を示す図である。
【図６】本発明の第１の実施形態における情報の配置例を示す図である。
【図７】本発明の第１の実施形態における情報の配置例を示す図である。
【図８】本発明の第１の実施形態における情報の配置例を示す図である。
【図９】本発明の第１の実施形態において、基地局装置および移動局装置の動作を示すシーケンスチャートである。
【図１０】本発明の第２の実施形態に係る移動通信システムにおいて、事前に定義されるテーブルの内容を示す図である。
【図１１】本発明の第２の実施形態において、基地局装置および移動局装置の動作を示すシーケンスチャートである。
【図１２】本発明の第３の実施形態を説明する図である。
【図１３】本発明の第３の実施形態において、事前に定義されるテーブルの内容を示す図である。
【図１４】従来の基地局装置と移動局装置との通信方法について説明するための図である。
【発明を実施するための形態】
【００２８】
次に、本発明の実施の形態について、図面を参照しながら説明する。
（第１の実施形態）
まず始めに、本発明の第１の実施形態に係る移動通信システムについて説明する。この移動通信システムは、基地局装置と移動局装置とから構成される。図１は、本発明の第１の実施形態に係る基地局装置の概略構成を示すブロック図である。基地局装置１００は、データ制御部１０１、変調符号化部１０２、マッピング部１０３、逆高速フーリエ変換（ＩＦＦＴ）部１０４、無線送信部１０５、無線受信部１０６、高速フーリエ変換（ＦＦＴ）部１０７、復調復号化部１０８、データ抽出部１０９、スケジューラ部１１０、送信情報制御部１１１、アンテナ１１２を備えている。送信情報制御部１１１は、変調符号制御部１１１ａ、周波数選択スケジューラ部１１１ｂを含んでいる。
【００２９】
基地局装置１００において、データ制御部１０１には、各移動局装置に送信される送信データと、制御データとが入力され、スケジューラ部１１０からの指示に従って、それぞれのデータが逐次移動局装置に送信される。変調符号化部１０２は、変調符号制御部１１１ａが決定した変調方式および符号化率に基づいて、データ制御部１０１から入力される信号に対して、変調処理や誤り訂正符号化処理を施し、各データをマッピング部１０３に出力する。マッピング部１０３は、周波数選択スケジューラ部１１１ｂから入力される周波数選択スケジューリング情報に基づいて、変調符号化部１０２から入力されるデータを、各サブキャリア上にマッピングし、逆高速フーリエ変換部１０４に出力する。
【００３０】
逆高速フーリエ変換部１０４は、マッピング部１０３から入力されるデータに、逆高速フーリエ変換の処理を施し、時系列のベースバンドデジタル信号に変換し、無線送信部１０５に出力する。逆高速フーリエ変換部１０４からの出力信号は、無線送信部１０５においてデジタル／アナログ変換され、送信に適した周波数にアップコンバートされた後に、アンテナ１１２を介して、各移動局装置に送信される。
【００３１】
スケジューラ部１１０は、各移動局装置が使用することのできるリソース領域、間欠送受信サイクル、送信データチャネルのフォーマット、バッファ状況などの制御情報に基づき、下りリンクのスケジューリング、上りリンクのスケジューリングを行なう。変調符号制御部１１１ａは、移動局装置から送信される受信品質情報に基づいて、各データに施す変調方式、符号化率を決定し、変調符号化部１０２に出力する。周波数選択スケジューラ部１１１ｂは、移動局装置から送信される受信品質情報に基づいて、各データに施す周波数選択スケジューリングの処理を行ない、その結果をマッピング部１０３に出力する。
【００３２】
図２は、本発明の第１の実施形態に係る移動局装置の概略構成を示すブロック図である。移動局装置２００は、データ制御部２０１、変調符号化部２０２、マッピング部２０３、逆高速フーリエ変換（ＩＦＦＴ）部２０４、無線送信部２０５、無線受信部２０６、高速フーリエ変換（ＦＦＴ）部２０７、復調復号化部２０８、データ抽出部２０９、受信品質情報制御部２１０、アンテナ２１１を備えている。受信品質情報制御部２１０は、受信品質情報生成部２１０ａ、受信品質測定部２１０ｂを備えている。なお、無線受信部２０６、ＦＦＴ部２０７、復調復号化部２０８、データ抽出部２０９、および、受信品質情報制御部２１０は、受信部を構成し、データ制御部２０１、変調符号化部２０２、マッピング部２０３、逆高速フーリエ変換（ＩＦＦＴ）部２０４、および、無線送信部２０５は、送信部を構成する。
【００３３】
移動局装置２００において、データ制御部２０１には、基地局装置に送信される送信データと、制御データとが入力され、それぞれのデータが逐次基地局装置に送信される。変調符号化部２０２は、データ制御部２０１から入力される信号に変調処理や誤り訂正符号化処理を施し、各データをマッピング部２０３に出力する。マッピング部２０３は、変調符号化部２０２から入力されるデータを、各サブキャリア上にマッピングし、逆高速フーリエ変換部２０４に出力する。
【００３４】
逆高速フーリエ変換部２０４は、マッピング部２０３から入力されるシンボル系列に逆高速フーリエ変換の処理を施し、時系列のベースバンドデジタル信号に変換し、無線送信部２０５に出力する。逆高速フーリエ変換部２０４からの出力信号は、無線送信部２０５においてデジタル／アナログ変換され、送信に適した周波数にアップコンバートされた後に、アンテナ２１１を介して、基地局装置に送信される。
【００３５】
受信品質情報制御部２１０において、受信品質測定部２１０ｂは、基地局装置から受信する信号の受信品質を測定する。受信品質情報生成部２１０ａは、受信品質測定部２１０ｂによって測定された情報に基づいて、基地局装置に送信する受信品質情報を生成する。
【００３６】
無線受信部２０６、ＦＦＴ部２０７、復調復号化部２０８、データ抽出部２０９、および、受信品質情報制御部２１０から構成される受信部は、基地局装置から上りリンクを使用して送信する情報の送信形式を指定する制御情報を受信し、指定された送信形式に基づいて、上りリンクデータと受信品質情報、および、上りリンクデータとＡＣＫ／ＮＡＣＫを送信する送信形式を認識する。
【００３７】
データ制御部２０１、変調符号化部２０２、マッピング部２０３、逆高速フーリエ変換（ＩＦＦＴ）部２０４、および、無線送信部２０５から構成される送信部は、受信部が認識した送信形式で、上りリンクデータと受信品質情報、および、上りリンクデータとＡＣＫ／ＮＡＣＫを同時に基地局装置に送信する。
【００３８】
図３は、本発明の第１の実施形態において、移動局装置から基地局装置へ送信される上りリンクデータと受信品質情報の配置の一例を示す図である。図３では、形態１と形態２とを示している。各形態において、縦方向は時間軸を表しており、ここでは基地局装置によって割り当てられるリソースの一例として１４ＯＦＤＭシンボルで示されている。その１４ＯＦＤＭシンボル内に、データの復調を行なうための伝搬路推定に用いる既知のリファレンスシンボル（パイロット信号、以下、ＲＳ）と、形態１、形態２でそれぞれ異なる数の受信品質情報、上りリンクデータが配置されている。
【００３９】
また、横方向は周波数軸を表している。ＰＵＳＣＨのリソースユニット（ＰＵＳＣＨの時間−周波数ブロックの最小単位）を１リソースブロックとすると、基地局装置によって、形態１では、周波数軸方向に１リソースブロック分の大きさを持ったリソースが割り当てられる。また、形態２では、周波数軸方向に２リソースブロック分の大きさを持ったリソースが割り当てられたことを示している。
【００４０】
移動局装置は、基地局装置からの下りリンク制御チャネル（Physical Downlink Control Channel：以下、「ＰＤＣＣＨ」と呼称する。）によって指示されたリソース割り当て
に応じて、ＰＵＳＣＨを使用してデータを送信する。すなわち、この下りリンク制御チャネル（ＰＤＣＣＨ）は、上りリンクに対するデータ送信を許可する信号（Ｌ１／Ｌ２グラント）である。
【００４１】
本実施形態において、移動局装置は、基地局装置がＬ１／Ｌ２グラントを使用して割り当てたリソースに応じて、上りリンクデータと受信品質情報を同時に送信する際の情報の配置を行なう。
【００４２】
すなわち、図３における形態１では、移動局装置は、基地局装置からのＬ１／Ｌ２グラントによって、時間軸方向に１４ＯＦＤＭシンボル、周波数軸方向に１リソースブロック分の大きさを持ったリソースが割り当てられ、その割り当てられたリソースに対応した上りリンクデータと受信品質情報の配置を行なっていることを示している。ここで、１ＯＦＤＭシンボル、１サブキャリアで構成される要素をリソースエレメントと呼ぶ。この例においては、１リソースブロックが１２サブキャリアで構成されるとすると、１ＯＦＤＭシンボル、１リソースブロックに対するリソースエレメント数は１２であり、１リソースブロック内のリソースエレメント数は１６８である。
【００４３】
同様に、図３における形態２では、移動局装置は、基地局装置からのＬ１／Ｌ２グラントによって、時間軸方向に１４ＯＦＤＭシンボル、周波数方向に２リソースブロック分の大きさを持ったリソースが割り当てられ、その割り当てられたリソースに対応した上りリンクデータと受信品質情報の配置を行なっていることを示している。
【００４４】
ここで、基地局装置がＬ１／Ｌ２グラントを使用して、どのようなリソースを割り当て、それに対応して、移動局装置がどのように上りリンクデータと受信品質情報を配置するかは、事前に決めておくことができる。すなわち、本実施形態では、基地局装置において、時間軸方向に１４ＯＦＤＭシンボル、周波数軸方向に１リソースブロック分の大きさを持ったリソースが割り当てられた場合には、移動局装置において形態１で示す上りリンクデータと受信品質情報の配置を行なうことが事前に決められている。同様に、基地局装置において時間軸方向に１４ＯＦＤＭシンボル、周波数軸方向に２リソースブロック分の大きさを持ったリソースが割り当てられた場合には、移動局装置において形態２で示す上りリンクデータと受信品質情報の配置を行なうことが事前に決められている。
【００４５】
基地局装置は、移動局装置に対してＬ１／Ｌ２グラントを使用してリソースを割り当てる際に、どのような情報の配置（例えば、形態１、形態２）で上りリンクデータと受信品質情報が同時に送信されてくるかを事前に知っているために、上りリンクデータと受信品質情報を分離することができ、取り出された受信品質情報に基づいて、下りリンクデータに適応変調符号化、および／もしくは、周波数選択スケジューリングを施すことができる。
【００４６】
次に、移動局装置から基地局装置に対して同時に送信される上りリンクデータと受信品質情報の配置の一例として示した形態１、形態２について説明する。形態１は時間軸方向（ここでは１４ＯＦＤＭシンボル）に多くの受信品質情報が配置されている。これは、移動局装置から基地局装置に対して送信される受信品質情報が、伝搬路の時間的な変動に対してより強くなるように配置された形態である。一方、形態２は、周波数軸方向に多くの受信品質情報が配置されている。これは、移動局装置から基地局装置に対して送信される受信品質情報が、伝搬路の周波数的な変動に対してより強くなるように配置された形態である。
【００４７】
図４は、同様に、本発明の第１の実施形態を説明するための移動局装置から送信される上りリンクデータと受信品質情報の配置の一例を示している。左側には、図３における形態１と同様の形態を示している。図４に示す形態３は、基地局装置によって割り当てられたリソースに対して、受信品質情報を単純に周波数が低い側（もしくは高い側でもよい）に配置している。このような単純な配置にすることにより、基地局装置が複雑な処理を必要としないで上りリンクデータと受信品質情報を分離することができる。
【００４８】
図５は、同様に、本発明の第１の実施形態を説明するための移動局装置から送信される上りリンクデータと受信品質情報の配置の一例を示している。左側には、図３における形態１と同様な形態である形態４を示している。形態４が形態１と大きく異なる点は、受信品質情報が周波数軸方向に分散された形態で配置され、受信品質情報が間引かれた部分に上りリンクデータが配置されている点である。それぞれの受信品質情報の領域は、一つのリソースエレメント群または複数のリソースエレメント群によって構成されている。また、図５における形態５に示すように、受信品質情報を周波数軸方向に分散して配置することにより、受信品質情報を送信するために使用されるリソースとしては、形態４と同様のリソースサイズ（形態４では１ＯＦＤＭシンボルに対して４つのリソースエレメント群、形態５では１ＯＦＤＭシンボルに対して２つのリソースエレメント群を受信品質情報として使用しているが、周波数方向に２リソースブロック使用しているため同様である）を使用しながら、伝搬路の周波数的な変動に対してより強くなるように配置を行なうこともできる。
【００４９】
さらに、図６、図７、図８は、本発明の第１の実施形態を説明するための移動局装置から送信される上りリンクデータと受信品質情報の配置の一例を示している。図６、図７、図８が図３、図４、図５と大きく異なる点は、それぞれの形態において受信品質情報と上りリンクデータの配置がグラデーションを用いて示されていることである。図６、図７、図８の左側に示している形態は、図３で示される形態１と対応する形態として形態１’で示されている。
【００５０】
図６、図７、図８において、上りリンクデータと受信品質情報の配置がグラデーションを用いて示されているのは、これらの図では、一つのリソースエレメント内においても、上りリンクデータと受信品質情報が混在して配置されていることを概念的に表している。すなわち、上りリンクデータと受信品質情報がリソースエレメント上に配置される以前に混在されることになる。ここでは、グラデーションで示される黒色の部分が受信品質情報を、白色の部分が上りリンクデータを示している。例えば、上りリンクデータと受信品質情報が、リソースエレメント上に配置される以前に混在され、これらが１２リソースエレメント群に配置される。すなわち、概念的には、１つのリソースエレメント内に受信品質情報の一部と上りリンクデータの一部が含まれていることになる。
【００５１】
図６における形態１’は、Ｌ１／Ｌ２グラントで１リソースブロックを指定された場合の上りリンクデータと受信品質情報の配置を示している。この形態１’で、１４ＯＦＤＭシンボルのうち４ＯＦＤＭシンボルは、上りリンクデータと受信品質情報が混在して配置される。一方、図６における形態６は、Ｌ１／Ｌ２グラントで２リソースブロックを指定された場合の上りリンクデータと受信品質情報の配置を示している。この形態６では、１４ＯＦＤＭシンボルのうち４ＯＦＤＭシンボルは、上りリンクデータと受信品質情報が混在して送信されるリソースとして配置され、さらに、周波数方向にリソースブロック２個分を使用して配置されている。図６で示される形態６は、割り当てられたリソースブロックの増加に応じて受信品質情報の情報量が増加されるように配置された形態である。また、図６における形態１’と形態６のグラデーションで受信品質情報を示す黒色の部分が同じ濃さで表されている。これは、形態１’と形態６で混在する上りリンクデータと受信品質情報の割合が同じであることを示している。
【００５２】
図７における形態１’は、図６で示される形態１’と同様の形態を示している。また、形態７は、図６における形態６と同様に、Ｌ１／Ｌ２グラントで２リソースブロックを指定された場合の上りリンクデータと受信品質情報の配置を示している。この形態７では、１４ＯＦＤＭシンボルのうち２ＯＦＤＭシンボルは、上りリンクデータと受信品質情報が混在して送信されるリソースとして配置され、さらに、周波数方向にリソースブロック２個分を使用して配置されている。すなわち、形態７は、割り当てられたリソースブロックの増加に応じて受信品質情報の情報量が増加されないように配置された形態である。図７における形態１’と形態７のグラデーションで受信品質情報を示す黒色の部分が同じ濃さで表されているのも、混在する上りリンクデータと受信品質情報の割合が同じであることを示している。
【００５３】
図８における形態１’は、図６で示される形態１’と同様の形態を示している。図８に示す形態１’と形態８で大きく異なる点は、グラデーションで受信品質情報を示す黒色の部分が異なる濃さで表されていることである。例えば、形態８の黒色の部分が薄く表されている。これは、形態１’と形態８で混在する上りリンクデータと受信品質情報の割合が異なることを表しており、ソースエレメント上に配置される以前に混在される上りリンクデータと受信品質情報の割合が異なることを表している。図８においては、形態１’、形態８で送信される全体的な受信品質情報の情報量は同じ大きさであることを示している。
【００５４】
具体的な例を挙げて説明する。図８の形態１’において、１シンボル、１リソースブロックに対するリソースで“４”の大きさを持った受信品質情報と“６”の大きさを持った上りリンクデータを混在させたとすると、形態８においては、１シンボル、１リソースブロックに対するリソースで“２”の大きさを持った受信品質情報と“８”の大きさを持った上りリンクデータが混在することになる。すなわち、１シンボル、１リソースブロックに対するリソースに含まれる受信品質情報の大きさは小さくなる。しかしながら、形態１’と比較すると形態８は、上りリンクデータと受信品質情報が混在されて送信されるリソースブロックの数が２倍になっている。すなわち、形態１’全体で送信される受信品質情報と、形態７全体で送信される受信品質情報は同じ大きさの情報量である。
【００５５】
基地局装置においては、図６、図７、図８で示すような上りリンクデータと受信品質情報がリソースエレメント上に配置される以前に混在され、複数のリソースエレメントに分散して配置している情報を受信した場合には、分散された全てのリソースエレメントを受信してから一つの情報（受信品質情報、上りリンクデータ）として取り出せるように構成されても良い。
【００５６】
以上のように、上りリンクデータと受信品質情報をリソースエレメント上に配置される以前に混在し、図６、図７、図８で概念的に示すような配置にすることによって、移動局装置が上りリンクデータ、もしくは、受信品質情報を含んでいるリソースエレメントをどの位置に配置するかの考慮をする必要がなく、情報をリソースエレメントに配置する際の処理を効率的に行なうことができる。このような上りリンクデータと受信品質情報の混在は、例えば、変調シンボル単位で上りリンクデータを間引いた部分に受信品質情報を埋め込み、その情報に離散フーリエ変換等の処理を施すことによって行なうことができる。
【００５７】
移動局装置は、基地局装置のＬ１／Ｌ２グラントによって割り当てられるリソースに応じて、図３、図４、図５、図６、図７、図８に示すような上りリンクデータと受信品質情報の配置を行なうことができる。図６、図７、図８についてさらに詳細に記載すると、基地局装置のＬ１／Ｌ２グラントによって割り当てられるリソースに応じて、移動局装置は、混在させる上りリンクデータと受信品質情報の割合を変更することができる。図８を用いて分かり易く説明するならば、基地局装置のＬ１／Ｌ２グラントによって割り当てられるリソースに応じて、移動局装置は、受信品質情報を示す黒色の部分の濃さを変更することができる、ということである。ここで、上記で説明した情報の配置は一例であり、例えば、図３、図４、図５、図６、図７、図８で示されたような配置が組み合わされてもよく、移動局装置から同時に送信される上りリンクデータと受信品質情報の配置であれば、どのような配置であってもよい。
【００５８】
上記で示した受信品質情報のリソースエレメント群への配置は、大きく２つに分けられる。１つは、上りリンクデータのリソース割り当てに比例するように、受信品質情報のリソース量を増加させる方法である。例えば、形態１、形態１’、形態６のように、１リソースブロックに４つのリソースエレメント群が受信品質情報として配置される場合、２リソースブロックが割り当てられると、受信品質情報は８リソースエレメント群で送信される。もう一つは、上りリンクデータのリソース割り当てに応じて、受信品質情報のリソース量（リソースエレメント群の数）が常に一定になるように配置を変更する方法である。例えば、形態２、形態３、形態５、形態７、形態８のいずれかに示す配置とする。この実施形態では、受信品質情報に施される変調方式および符号化率を一定に設定している。
【００５９】
ここで、上記２つの配置方法をそれぞれ情報増加型と情報維持型と定義し、それぞれの配置方法に対する制御方法について記載する。まず、基地局装置における情報増加型の配置方法に関する制御方法について説明する。基地局装置は、移動局装置に送信するＲＲＣシグナリングに、情報増加型の配置を行なう際に、受信品質情報を配置することができるリソースの最小値および／または最大値を示す情報を含めて送信することができる。
【００６０】
ここで、受信品質情報を配置することができるリソースの最小値とは、例えば、１リソースブロックに配置することができる受信品質情報のリソース量（例えば、変調シンボル数、リソースエレメント数、情報量など）として設定される。すなわち、１リソースブロックに配置することができる受信品質情報のリソース量の最大値を示している。また、受信品質情報を配置することができるリソースの最大値とは、基地局装置によって割り当てられたリソースブロックに配置することができる最大の受信品質情報のリソース量（例えば、変調シンボル数、リソースエレメント数、情報量など）として設定される。
【００６１】
移動局装置は、基地局装置からのＲＲＣシグナリングで設定された受信品質情報を配置することができるリソースの最小値（１リソースブロックに配置することができる受信品質情報の最大値）に達するまでは、Ｌ１／Ｌ２グラントで割り当てられたリソースブロック数および／もしくはトランスポートブロックサイズなどに応じて、上りリンクデータと受信品質情報を情報増加型（形態１、形態１’、形態６）で配置する。
【００６２】
また、移動局装置は、受信品質情報を配置する際にＬ１／Ｌ２グラントに基づいて算出したリソースが、基地局装置からのＲＲＣシグナリングで設定された受信品質情報を配置することができるリソースの最大値を上回っている場合は、形態７で示すように、受信品質情報を配置する時間方向のリソース量を減少させたり、形態８で示すように、上りリンクデータの間引き率を減少することによって、受信品質情報を配置するリソース量の割合を減少させたりして、上りリンクデータと受信品質情報を配置し、基地局装置によって設定されたリソースの最大値を上回らないようにする。
【００６３】
さらに、移動局装置は、受信品質情報を配置する際にＬ１／Ｌ２グラントに基づいて算出したリソースが、基地局装置からのＲＲＣシグナリングで設定された受信品質情報を配置することができるリソースの最小値を下回っている場合は、形態７で示すように、受信品質情報を配置する時間方向のリソース量を増加させたり、形態８で示すように、上りリンクデータの間引き率を増加することによって、受信品質情報を配置するリソース量の割合を増加させたりして、上りリンクデータと受信品質情報を配置し、基地局装置によって設定されたリソースの最小値を下回らないようにする。
【００６４】
このように、基地局装置から、受信品質情報を配置することができるリソースの最小値および／または最大値を示す情報を含んだＲＲＣシグナリングを送信し、その信号を受信した移動局装置が、上りリンクデータと受信品質情報の配置を切り替えて同時に送信することによって、Ｌ１／Ｌ２グラントに基づいて算出された受信品質情報を送信するリソースが大きいとき（すなわち大きな情報量を持った上りリンクデータを送信するとき）でも、移動局装置がある一定量以上の受信品質情報（大きすぎる情報量を持った受信品質情報）を送信することを避けることができ、受信品質情報の送信による上りリンクのオーバーヘッドが著しく増加してしまうことを避けることができる。また、Ｌ１／Ｌ２グラントに基づいて算出された受信品質情報を送信するリソースが小さいとき（すなわち小さな情報量を持った上りリンクデータを送信するとき）でも、移動局装置がある一定以上の受信品質情報（最小値で設定された受信品質情報）を送信することができ、受信品質情報の品質を一定以上に保つことができる。また、最小値をＬ１／Ｌ２グラントに基づいて算出されうる最小値に設定しておけば、移動局装置が、この最小値を下回るような受信品質情報を送信することを避けることができる。ここで、Ｌ１／Ｌ２グラントに基づいて算出される受信品質情報を送信するリソースが最大値を超えない、最小値を下回らないように算出式で規定しておけばＲＲＣシグナリングを使用して最大値、最小値を設定する必要はない。
【００６５】
続いて、基地局装置における情報維持型の配置方法に関する制御方法について説明する。基地局装置は、移動局装置に送信するＲＲＣシグナリングに、移動局装置が情報維持型の配置を行なう際に、受信品質情報を配置することができる一定のリソース量を示す情報（以下、維持値）を含めて送信することができる。ここで、受信品質情報を配置することができる維持値とは、基地局装置によって割り当てられたリソースブロックに配置することができる一定の受信品質情報のリソース量（例えば、変調シンボル数、リソースエレメント数、情報量など）として設定される。移動局装置は、基地局装置からのＲＲＣシグナリングで“１０”という大きさの維持値が設定されたならば、Ｌ１／Ｌ２グラントで、どのような大きさのリソースブロック数および／もしくはトランスポートブロックサイズなどが割り当てられても、上りリンクデータと“１０”という大きさの受信品質情報を配置する。
【００６６】
また、移動局装置は、受信品質情報を配置する際に算出したリソースが、基地局装置からのＲＲＣシグナリングで設定された受信品質情報を配置することができるリソースの維持値を上回っている場合は、形態７で示すように、受信品質情報を配置する時間方向のリソース量を減少させたり、形態８で示すように、上りリンクデータの間引き率を減少することによって、受信品質情報を配置するリソース量の割合を減少させたりして、上りリンクデータと受信品質情報を配置し、基地局装置によって設定されたリソースの維持値を上回らないようにする。
【００６７】
さらに、移動局装置は、受信品質情報を配置する際に算出したリソースが、基地局装置からのＲＲＣシグナリングで設定された受信品質情報を配置することができるリソースの維持値を下回っている場合は、形態７で示すように、受信品質情報を配置する時間方向のリソース量を増加させたり、形態８で示すように、上りリンクデータの間引き率を増加することによって、受信品質情報を配置するリソース量の割合を増加させたりして、上りリンクデータと受信品質情報を配置し、基地局装置によって設定されたリソースの維持値を下回らないようにする。
【００６８】
このように、基地局装置から、受信品質情報を配置することができる一定のリソース量を示す情報（維持値）を示す情報を含んだＲＲＣシグナリングを送信し、その信号を受信した移動局装置が、上りリンクデータと一定の受信品質情報を同時に送信することによって、Ｌ１／Ｌ２グラントで割り当てられたリソースに依存せずに、常に一定量の受信品質情報を送信することができる。
【００６９】
図９は、本発明の第１の実施形態において、基地局装置および移動局装置の動作を示すシーケンスチャートである。まず、基地局装置は、Ｌ１／Ｌ２グラントを使用して、移動局装置が上りリンクデータを送信する際のリソースの割り当てを行なう（ステップＳ６１）。ここでは、図３における形態１に対応したリソースの割り当てが行なわれたとする。次に、基地局装置からＬ１／Ｌ２グラントを受信した移動局装置は、割り当てられたリソースに対応した情報の配置（ここでは、形態１）で、上りリンクデータと受信品質情報を同時に送信する（ステップＳ６２）。
【００７０】
次に、基地局装置は、Ｌ１／Ｌ２グラントを使用して、移動局装置が上りリンクデータを送信する際のリソースの割り当てを再度行なう（ステップＳ６３）。ここでは、図３おける形態２に対応したリソースの割り当てが行なわれたとする。次に、基地局装置からＬ１／Ｌ２グラントを受信した移動局装置は、割り当てられたリソースに対応した情報の配置（ここでは、形態２）で、上りリンクデータと受信品質情報を同時に送信する（ステップＳ６４）。ここでは、基地局装置がＬ１／Ｌ２グラントを使用して割り当てるリソースに対応して、事前に、上りリンクデータと受信品質情報の配置が決められている。
【００７１】
上記で示したように、基地局装置からの上りリンクデータのリソース割り当てに応じた上りリンクデータと受信品質情報の配置を事前に決定しておき、移動局装置が、基地局装置からの上りリンクデータのリソースの割り当てに応じて、上りリンクデータと受信品質情報の配置を行なうことにより、各情報の配置を指定するための制御信号を送信する必要がなくなる。これにより、下りリンクのリソースの無駄遣いを減らすことができる。また、上りリンクのリソースの割り当て方に応じて、上りリンクデータと受信品質情報を同時に送信する際の情報の配置を変更するので、情報の配置を変更するための制御信号を送信する必要がなく、各情報の配置を変更する際に生じる遅延を短縮することができる。
【００７２】
第１の実施形態では、基地局装置は上りリンクデータに対するリソース割り当てを行なっている。しかしながら、このリソース割り当てに応じて上りリンクデータと同時に送信される受信品質情報の配置が行なわれることから、基地局装置は結果として、上りリンクデータと受信品質情報に対するリソースの割り当てを行なっていることになる。
【００７３】
以上のような本発明の第１の実施形態は、上りリンクデータとＡＣＫ／ＮＡＣＫを同時に送信する際にも適用できる。すなわち、基地局装置からの上りリンクデータのリソース割り当てに応じた上りリンクデータとＡＣＫ／ＮＡＣＫの配置を事前に決定しておき、移動局装置が、基地局装置からの上りリンクデータのリソースの割り当てに応じて、上りリンクデータとＡＣＫ／ＮＡＣＫの配置を行なうことにより、各情報（上りリンクデータ、ＡＣＫ／ＮＡＣＫ）の配置を指定するための制御信号がなくなり、下りリンクのリソースの無駄使いを減らすことができる。また、上りリンクのリソースの割り当て方に応じて、上りリンクデータとＡＣＫ／ＮＡＣＫを同時に送信する際の情報の配置を変更するので、情報の配置を変更するための制御信号を送信する必要がなく、各情報の配置を変更する際に生じる遅延を短縮することができる。
【００７４】
（第２の実施形態）
第２の実施形態では、移動局装置は、基地局装置がＬ１／Ｌ２グラントを使用して割り当てた上りリンクデータに施す変調方式および符号化率に応じて、同時に送信する受信品質情報に施す変調方式および符号化率を決定する。
【００７５】
基地局装置は、Ｌ１／Ｌ２グラントを使用して上りリンクデータに対するリソース割り当てを行なうとともに、上りリンクデータに施す変調方式と符号化率を指定する。この信号を受信した移動局装置は、上りリンクデータに施す変調方式および符号化率に応じて、受信品質情報に施す変調方式および符号化率を決定する。ここで、基地局装置がＬ１／Ｌ２グラントを使用して、上りリンクデータにどのような変調方式および符号化率を施し、それに対応して、移動局装置がどのような変調方式および符号化率を受信品質情報に施すかは、事前に決めておくことができる。
【００７６】
図１０は、第２の実施形態に係る移動通信システムにおいて、事前に定義されるテーブルの内容を示す図である。図１０に示すように、基地局装置が上りリンクデータに施す変調方式および符号化率と、受信品質情報に施すべき変調方式および符号化率とが対応付けられている。図１０に示すように、基地局装置が、上りリンクデータに変調方式ＱＰＳＫ、符号化率１／８を施すように指定した場合には、移動局装置は、受信品質情報に変調方式ＱＰＳＫ、もしくは、ＢＰＳＫ、符号化率１／８、もしくは、１／１６を施して送信することが事前に決められている。また、例えば、基地局装置が、上りリンクデータに変調方式１６ＱＡＭ、符号化率１／４を施すように指定した場合には、移動局装置は、受信品質情報に変調方式１６ＱＡＭ、もしくは、ＱＰＳＫ、符号化率１／４、もしくは、１／８を施して送信することが事前に決められている。
【００７７】
すなわち、例えば、基地局装置が上りリンクデータに変調方式１６ＱＡＭ、符号化率１／４を施すように指定することで、移動局装置からは、変調方式１６ＱＡＭ、符号化率１／４が施された上りリンクデータと、変調方式１６ＱＡＭ、もしくは、ＱＰＳＫ、符号化率１／４、もしくは、１／８が施された受信品質情報が同時に送信されることになる。ここで、上りリンクデータに施す符号化率、および、受信品質情報に施す符号化率は、変調方式と送信できるトランスポートブロックのサイズから算出することができる。すなわち、事前に変調方式と送信できるトランスポートブロックが定義されていてもよい。
【００７８】
この上りリンクデータの変調方式および符号化率と受信品質情報の変調方式および符号化率の対応付けは、予め一対一にマッピングされるか、一対多にマッピングされる。一対多にマッピングされる場合は、基地局装置側で受信品質情報の復調を行なう際に、上りリンクデータの変調方式および符号化率に対応付けられた複数の変調方式および符号化率で後述するＢｌｉｎｄ  Ｄｅｃｏｄｅをすることになる。
【００７９】
一般的に、送信する情報に高い変調方式、符号化率を使用した場合には、より多くの情報量を送信することができ、低い変調方式、符号化率を使用した場合には、信頼性を持った情報の送信を行なうことができる。上記で示したように、基地局装置が上りリンクデータに施す変調方式および符号化率に対応して、受信品質情報に施す変調方式および符号化率を事前に決定することにより、上りリンクデータと同時に送信される受信品質情報の変調方式および符号化率を、上りリンクデータの変調方式および符号化率に追従させることができ、受信品質情報の送信成功確率を向上させることができる。
【００８０】
基地局装置は、移動局装置に対してＬ１／Ｌ２グラントを使用して上りリンクデータに施す変調方式および符号化率を指定する際に、上りリンクデータと同時に送信されてくる受信品質情報がどのような変調方式および符号化率で送信されてくるかを事前に知っているために、受信品質情報の変調方式および符号化率に基づいて各情報をデコードすることができる。ここで、上りリンクデータの変調方式および符号化率と受信品質情報の変調方式および符号化率の対応付けが一対多にマッピングされている場合には、可能性のある全ての変調方式および符号化率に対してのデコードを試み、正確に復調できたことをＣＲＣ（Cyclic Redundancy Check）などを用いて確認する（Blind Decodeと呼ぶ）。基地局装置は、正確に復調された受信品質情報に基づいて、下りリンクデータに適応変調符号化、および／もしくは、周波数選択スケジューリングを施す。
【００８１】
図１１は、本発明の第２の実施形態において、基地局装置および移動局装置の動作を示すシーケンスチャートである。まず、基地局装置は、Ｌ１／Ｌ２グラントを使用して、上りリンクデータに施す変調方式および符号化率の指定を行なう（ステップＳ７１）。ここでは、上りリンクデータに施す変調方式および符号化率として変調方式Ａおよび符号化率Ｂが指定されたとする。次に、基地局装置からＬ１／Ｌ２グラントを受信した移動局装置は、上りリンクデータに施す変調方式Ａおよび符号化率Ｂに対応した変調方式および符号化率を、受信品質情報に施す。ここでは、上りリンクデータに施す変調方式Ａ、および、符号化率Ｂに対応した変調方式Ｃ、および、符号化率Ｄを受信品質情報に施すこととする。そして移動局装置は、変調方式Ａおよび符号化率Ｂを施した上りリンクデータと変調方式Ｃおよび符号化率Ｄを施した受信品質情報を同時に基地局装置に対して送信する（ステップＳ７２）。
【００８２】
次に、基地局装置は、Ｌ１／Ｌ２グラントを使用して、上りリンクデータに施す変調方式および符号化率の指定を再度行なう（ステップＳ７３）。ここでは、上りリンクデータに施す変調方式および符号化率として、変調方式Ｅおよび符号化率Ｆが指定されたとする。次に、基地局装置からＬ１／Ｌ２グラントを受信した移動局装置は、上りリンクデータに施す変調方式Ｅおよび符号化率Ｆに対応した変調方式および符号化率を受信品質情報に施す。ここでは、上りリンクデータに施す変調方式Ｅおよび符号化率Ｆに対応した変調方式Ｇおよび符号化率Ｈを受信品質情報に施すこととする。そして、移動局装置は、変調方式Ｅおよび符号化率Ｆを施した上りリンクデータと変調方式Ｇおよび符号化率Ｈを施した受信品質情報を同時に基地局装置に対して送信する（ステップＳ７４）。ここでは、基地局装置がＬ１／Ｌ２グラントを使用して上りリンクデータに施す変調方式および符号化率に対応した、受信品質情報の変調方式および符号化率は事前に決められている。
【００８３】
上記で示したように、基地局装置からの上りリンクデータに施す変調方式および符号化率の指定に応じて、上りリンクデータと同時に送信する受信品質情報の変調方式および符号化率を事前に決定しておき、移動局装置が、基地局装置からの上りリンクデータに施す変調方式および符号化率の指定に応じて、受信品質情報に変調方式および符号化率を施す。これにより、移動局装置が基地局装置に対して送信する受信品質情報が、上りリンクデータの変調方式および符号化率に追従することができ、受信品質情報の送信成功確率を向上させることができる。
【００８４】
第２の実施形態では、基地局装置は上りリンクデータに施す変調方式および符号化率の指定を行なっている。しかしながら、この指定に応じて上りリンクデータと同時に送信される受信品質情報の変調方式および符号化率の指定が行なわれることから、基地局装置は結果として、上りリンクデータと受信品質情報に対する変調方式および符号化率の指定を行なっていることになる。
【００８５】
上記のような本発明の第２の実施形態は、上りリンクデータとＡＣＫ／ＮＡＣＫを同時に送信する際にも適用できる。すなわち、基地局装置からの上りリンクデータに施す変調方式および符号化率の指定に応じて、上りリンクデータと同時に送信するＡＣＫ／ＮＡＣＫの変調方式および符号化率を事前に決定しておき、移動局装置が、基地局装置からの上りリンクデータに施す変調方式および符号化率の指定に応じて、ＡＣＫ／ＮＡＣＫに変調方式および符号化率を施すことにより、移動局装置が基地局装置に対して送信するＡＣＫ／ＮＡＣＫが、上りリンクデータの変調方式および符号化率に追従することができ、受信品質情報の送信成功確率を向上させることができる。
【００８６】
（第３の実施形態）
上記までに説明してきた第１の実施形態、第２の実施形態を踏まえて、基地局装置、移動局装置の具体的な動作例を第３の実施形態として記載する。図１２は、第３の実施形態において、基地局装置から移動局装置に送信されるＬ１／Ｌ２グラント、移動局装置から基地局装置に非周期的に送信される受信品質情報、周期的に送信される受信品質情報、上りリンクデータ、上りリンクデータもしくは上りリンクデータと受信品質情報を同時に送信する際の送信形態を示す図である。移動局装置から基地局装置に非周期的に送信される受信品質情報とは、例えば、基地局装置から１ビットの情報を含んだＬ１／Ｌ２グラントが送信され、その信号を受信した移動局装置が受信品質情報を基地局装置に送信することにより実現することができる。移動局装置から基地局装置に周期的に送信される受信品質情報とは、例えば、基地局装置から受信品質情報を送信する周期を設定する情報を含んだＲＲＣシグナリングが送信され、その信号を受信した移動局装置が設定された周期で受信品質情報を基地局装置に送信することにより実現することができる。図１２では、例として、＃ｓｌｏｔ１〜＃ｓｌｏｔ１０までの動作を示している。また右側には各スロットに対応する処理フローを示している。ここでは処理フローを見易くするために、＃ｓｌｏｔ１に対応する矢印は基地局装置からの処理フロー、それ以外のスロットに対応する矢印は移動局装置からの処理フローのみを示しており、詳細については下記に記載する。
【００８７】
図１３は、第３の実施形態において使用される変調方式、符号化率の事前に定義されるテーブルである。基地局装置からのＬ１／Ｌ２グラントによって上りリンクデータに対する変調方式、符号化率を指定された移動局装置は、図１３で定義されたテーブルを使用して、受信品質情報に変調方式、符号化率を施す。例えば、上りリンクデータの変調方式、符号化率がＱＰＳＫ、１／８と指定されたら、移動局装置は、受信品質情報にＢＰＳＫ、１／４の変調方式、符号化率を施す。
【００８８】
図１２に戻り各スロットの動作を説明する。図１２における＃ｓｌｏｔ１において基地局装置は、移動局装置が上りリンクデータと受信品質情報を同時に送信する際に、受信品質情報を配置できるリソースの最小値および／または最大値、維持値をＲＲＣシグナリングに含めて送信する。ここでは、説明を分かり易くするために、受信品質情報を配置できる情報量の最小値として“１０”、最大値として“５０”、維持値として“２０”という値を設定したとする。ここでは、例として、“１０”、“５０”、“２０”という値を設定するが、受信品質情報を配置できるリソースの最小値および／または最大値、維持値としては、受信品質情報をリソースエレメント上に配置する以前の、例えば、変調シンボルの数や、受信品質情報を配置するリソースエレメントの数や、受信品質情報の情報量（ビット数）などを使用して設定することができる。また＃ｓｌｏｔ１において、最小値および／または最大値、維持値の全ての値を設定しているが、必ずしも全ての値を設定する必要はない。
【００８９】
＃ｓｌｏｔ２は、事前に基地局装置から周期的に受信品質情報を送信するスロットとして設定されているスロットである。＃ｓｌｏｔ２において基地局装置は、移動局装置が上りリンクデータを送信するために使用するリソースをＬ１／Ｌ２グラントを用いて割り当てる。この信号を受信した移動局装置は、割り当てられたリソースを使用して情報維持型の配置方法で上りリンクデータと受信品質情報を同時に送信する。
【００９０】
さらに＃ｓｌｏｔ２における移動局装置の動作について説明する。＃ｓｌｏｔ２において移動局装置は、情報維持型の配置方法で上りリンクデータと受信品質情報を基地局装置に送信する。情報維持型の配置方法は、ＲＲＣシグナリングで設定された維持値で常に一定量の受信品質情報を送信する配置方法である。
【００９１】
具体例をあげて説明する。ここでは、基地局装置からのＲＲＣシグナリングによって受信品質情報を配置できる維持値は“２０”に設定されている。この際に、基地局装置がＬ１／Ｌ２グラントを使用して、上りリンクデータを送信するために使用するリソースを１リソースブロック、変調方式、符号化率をＱＰＳＫ、１／８と設定したとする。これは、図１３に示されるテーブルから、受信品質情報の変調方式、符号化率をＢＰＳＫ、１／１６に設定していることを示している。この基地局装置からの制御によって、移動局装置は、変調方式ＱＰＳＫ、符号化率１／８を施した上りリンクデータと、“２０”の大きさを持った受信品質情報に、変調方式ＢＰＳＫ、符号化率１／１６を施して、１リソースブロックを使用して送信することになる。そのため、この受信品質情報のために使用されるリソース量は、“３２０”（２０ｘ１ｘ１６）となる。
【００９２】
さらに、基地局装置がＬ１／Ｌ２グラントを使用して、上りリンクデータを送信するために使用するリソースを２リソースブロック、変調方式、符号化率をＱＰＳＫ、１／８と設定したとする。これは同様に、図１３に示されるテーブルから、受信品質情報の変調方式、符号化率をＢＰＳＫ、１／１６に設定していることを示している。すなわち、この基地局装置からの制御によって、移動局装置は、変調方式ＱＰＳＫ、符号化率１／８を施した上りリンクデータと、“２０”の大きさを持った受信品質情報に、変調方式ＢＰＳＫ、符号化率１／１６を施して、２リソースブロックを使用して送信することになる。そのため、この受信品質情報のために使用されるリソース量は、“３２０”（２０ｘ１ｘ１６）となる。
【００９３】
さらに、基地局装置がＬ１／Ｌ２グラントを使用して、上りリンクデータを送信するために使用するリソースを２リソースブロック、変調方式、符号化率をＱＰＳＫ、１／４と設定したとする。これは同様に、図１３に示されるテーブルから、受信品質情報の変調方式、符号化率をＢＰＳＫ、１／８に設定していることを示している。すなわち、この基地局装置からの制御によって、移動局装置は、変調方式ＱＰＳＫ、符号化率１／４を施した上りリンクデータと、“２０”の大きさを持った受信品質情報に、変調方式ＢＰＳＫ、符号化率１／８を施して、２リソースブロックを使用して送信することになる。そのためこの受信品質情報のために使用されるリソース量は、“１６０”（２０ｘ１ｘ８）となる。
【００９４】
＃ｓｌｏｔ３は、基地局装置から非周期的に受信品質情報を送信するスロットとして設定されたスロットである。これは、基地局装置からの制御によって、トリガ的に受信品質情報を送信するスロットとして設定されたスロットである。＃ｓｌｏｔ３において基地局装置は、移動局装置が上りリンクデータを送信するために使用するリソースをＬ１／Ｌ２グラントを用いて割り当てる。この信号を受信した移動局装置は、割り当てられたリソースを使用して情報増加型の配置方法で上りリンクデータと受信品質情報を同時に送信する。
【００９５】
さらに＃ｓｌｏｔ３における移動局装置の動作について説明する。＃ｓｌｏｔ３において移動局装置は、情報増加型の配置方法で上りリンクデータと受信品質情報を基地局装置に送信する。情報増加型の配置方法は、基地局装置からのＬ１／Ｌ２グラントで割り当てられたリソースに応じて、ＲＲＣシグナリングで設定された最小値および／または最大値の範囲で受信品質情報を配置するリソース量を増加して送信する配置方法である。
【００９６】
具体例をあげて説明する。ここでは、基地局装置からのＲＲＣシグナリングによって、受信品質情報を配置できる情報量の最小値は“１０”、最大値は“２５０”（ここでは最小値、最大値は変調方式ＢＰＳＫ、符号化率１／１６で設定された値であるとする）に設定されている。この際に、基地局装置がＬ１／Ｌ２グラントを使用して、上りリンクデータを送信するために使用するリソースを１リソースブロック、変調方式、符号化率をＱＰＳＫ、１／８と設定したとする。これは、図１３に示されるテーブルから、受信品質情報の変調方式、符号化率をＢＰＳＫ、１／１６に設定していることを示している。この基地局装置からの制御によって、移動局装置は変調方式ＱＰＳＫ、符号化率１／８を施した上りリンクデータと、“１０”（１０ｘ１ｘ１ｘ（１／１６）／（１／１６））の大きさを持った受信品質情報に、変調方式ＢＰＳＫ、符号化率１／１６を施して、１リソースブロックを使用して送信することになる。そのためこの受信品質情報のために使用されるリソース量は、“１６０”（１０ｘ１ｘ１６）となる。
【００９７】
さらに、基地局装置がＬ１／Ｌ２グラントを使用して、上りリンクデータを送信するために使用するリソースを３リソースブロック、変調方式、符号化率をＱＰＳＫ、１／８と設定したとする。これは同様に、図１３に示されるテーブルから、受信品質情報の変調方式、符号化率をＢＰＳＫ、１／１６に設定していることを示している。すなわち、この基地局装置からの制御によって、移動局装置は変調方式ＱＰＳＫ、符号化率１／８を施した上りリンクデータと、“３０”（１０ｘ３ｘ１ｘ（１／１６）／（１／１６））の大きさを持った受信品質情報に、変調方式ＢＰＳＫ、符号化率１／１６を施して、３リソースブロックを使用して送信することになる。そのためこの受信品質情報のために使用されるリソース量は、“４８０”（３０ｘ１ｘ１６）となる。
【００９８】
さらに、基地局装置がＬ１／Ｌ２グラントを使用して、上りリンクデータを送信するために使用するリソースを３リソースブロック、変調方式、符号化率を１６ＱＡＭ、１／４と設定したとする。これは同様に、図１３に示されるテーブルから、受信品質情報の変調方式、符号化率をＱＰＳＫ、１／４に設定していることを示している。すなわち、この基地局装置からの制御によって、移動局装置は、変調方式１６ＱＡＭ、符号化率１／４を施した上りリンクデータと、“２４０”（１０ｘ３ｘ２ｘ（１／４）／（１／１６））の大きさを持った受信品質情報に、変調方式ＱＰＳＫ、符号化率１／４を施して、３リソースブロックを使用して送信することになる。そのため、この受信品質情報のために使用されるリソース量は、“４８０”（２４０ｘ（１／２）ｘ４）となる。これは、リソースブロックに対して増加型の配置方法、変調方式、符号化率に対して増加型の配置方法である。
【００９９】
もしくは、基地局装置がＬ１／Ｌ２グラントを使用して、上りリンクデータを送信するために使用するリソースを３リソースブロック、変調方式、符号化率を１６ＱＡＭ、１／４と設定したとする。これは同様に、図１３に示されるテーブルから、受信品質情報の変調方式、符号化率をＱＰＳＫ、１／４に設定していることを示している。すなわち、この基地局装置からの制御によって、移動局装置は、変調方式１６ＱＡＭ、符号化率１／４を施した上りリンクデータと、“３０”（１０ｘ３ｘ１ｘ１）の大きさを持った受信品質情報に、変調方式ＱＰＳＫ、符号化率１／４を施して、３リソースブロックを使用して送信することになる。そのためこの受信品質情報のために使用されるリソース量は、“６０”（３０ｘ（１／２）ｘ４）となる。これは、リソースブロックに対して増加型の配置方法、変調方式、符号化率に対して維持型の配置方法である。
【０１００】
さらに、基地局装置がＬ１／Ｌ２グラントを使用して、上りリンクデータを送信するために使用するリソースを４リソースブロック、変調方式、符号化率を１６ＱＡＭ、１／４と設定したとする。これは同様に、図１３に示されるテーブルから、受信品質情報の変調方式、符号化率をＱＰＳＫ、１／４に設定していることを示している。すなわち、この基地局装置からの制御によって、移動局装置は、変調方式１６ＱＡＭ、符号化率１／４を施した上りリンクデータと、“３２０”（１０ｘ４ｘ２ｘ（１／４）／（１／１６））の大きさを持った受信品質情報に、変調方式ＱＰＳＫ、符号化率１／４を施して、３リソースブロックを使用して送信することになる。しかしながら、移動局装置は基地局装置からのＲＲＣシグナリングによって、受信品質情報を配置できるリソースの最大値が“２５０”に設定されているために、“２５０”の大きさを持った受信品質情報を基地局装置に送信する。そのためこの受信品質情報のために使用されるリソース量は、“５００”（２５０ｘ（１／２）ｘ４）となる。
【０１０１】
図１２の＃ｓｌｏｔ４において基地局装置は、通常のＬ１／Ｌ２グラントを送信し、その信号を受信した移動局装置は上りリンクデータを基地局装置に送信する。＃ｓｌｏｔ８においても同様の処理が行なわれる。
【０１０２】
＃ｓｌｏｔ７は、＃ｓｌｏｔ２と同様に、事前に基地局装置から周期的に受信品質情報を送信するスロットとして設定されているスロットである。＃ｓｌｏｔ７において基地局装置は、移動局装置が上りリンクデータを送信するために使用するリソースをＬ１／Ｌ２グラントを用いて割り当てる。この信号を受信した移動局装置は、割り当てられたリソースを使用して情報維持型の配置方法で上りリンクデータと受信品質情報を同時に送信する。情報維持型の配置方法に関しては、＃ｓｌｏｔ２と同様の処理が行なわれる。
【０１０３】
＃ｓｌｏｔ１０は、＃ｓｌｏｔ３と同様に、基地局装置から非周期的に受信品質情報を送信するスロットとして設定されたスロットである。これは、基地局装置からの制御によって、トリガ的に受信品質情報を送信するスロットとして設定されたスロットである。＃ｓｌｏｔ１０において基地局装置は、移動局装置が上りリンクデータを送信するために使用するリソースをＬ１／Ｌ２グラントを用いて割り当てる。この信号を受信した移動局装置は、割り当てられたリソースを使用して情報増加型の配置方法で上りリンクデータと受信品質情報を同時に送信する。情報増加型の配置方法に関しては、＃ｓｌｏｔ３と同様の処理が行なわれる。
【０１０４】
上記の＃ｓｌｏｔ２、＃ｓｌｏｔ７で施される情報維持型、および＃ｓｌｏｔ３、＃ｓｌｏｔ１０で施される情報増加型、情報維持型の配置方法に関して、受信品質情報のために使用される情報量、上りリンクデータに使用される変調シンボル数を算出する式は、例えば、下記のように表すことができる。ここでは、Ｌ１／Ｌ２グラントにおいて上りリンクデータを送信するために割り当てられたリソースブロック数をＮｒｂ、変調方式によるシンボルレートをＭｄ、符号化率をＣｄとする。また、図１３で示すような事前に定義されたテーブルによって設定される受信品質情報の変調方式によるシンボルレートをＭｃ、符号化率をＣｃとする。また、基地局装置からＲＲＣシグナリングで設定される受信品質情報を配置することができる情報量の最大値をＭａｘＲ、最小値をＭｉｎＲ（変調方式によるシンボルレートをＭｏ、符号化率をＣｏの場合）、維持値をＣｏｎＲとする。ここでは、受信品質情報を配置することができるリソースの最小値、最大値、維持値を受信品質情報の情報量として設定するが、受信品質情報をリソースエレメント上に配置する以前の、例えば、変調シンボルの数や、受信品質情報を配置するリソースエレメントの数などで設定されてもよい。
【０１０５】
まず、情報増加型の配置方法については、例えば、下記のような式で表すことができる。受信品質情報の変調方式に対するシンボルレートＭｃ、符号化率Ｃｃは、上りリンクデータに対するシンボルレートＭｄ，符号化率Ｃｄの関数として表され、これは、図１３で示したようなテーブルとして仕様等で事前に定義される。
（Ｍｃ，Ｃｃ）＝ｆ（Ｍｄ，Ｃｄ）
よって、移動局装置から受信品質情報のために使用される変調シンボル数ＮｃｓはＭｃ，Ｃｃを用いて下記のような式で表すことができる。
Ｎｃｓ＝Ｂｃ×Ｍｃ×１／Ｃｃ×α
ここで、情報増加型の配置方法は、基地局装置からのＲＲＣシグナリングによって設定された最小値および／または最大値の範囲で受信品質情報の情報量を増加して送信する配置方法であるため、Ｂｃは下記の式で設定されることになる。
Ｂｃ＝ＭＡＸＭＩＮ（ＭａｘＲ，ＭｉｎＲ×Ｎｒｂ×Ｍｃ×１／Ｃｃ×１／Ｍｏ×Ｃｏ，ＭｉｎＲ）
すなわち、上りリンクデータに使用される変調シンボル数Ｎｄｓは、下記の式で表される。
Ｎｄｓ＝Ｎｒｂｘ１６８−Ｎｃｓ−γ
ここで、α、β、γは係数であり、リソースブロック内に含まれるリファレンスシンボル数や、情報に施される拡散率などの他の要素によって変動する値である。
【０１０６】
続いて、情報維持型の場合の配置方法については、例えば、下記のような式で表すことができる。受信品質情報の変調方式によるシンボルレートＭｃ、符号化率Ｃｃは、上りリンクデータに対するシンボルレートＭｄ，符号化率Ｃｄの関数として表され、これは、図１３で示したようなテーブルとして仕様等で事前に定義される。
（Ｍｃ，Ｃｃ）＝ｆ（Ｍｄ，Ｃｄ）
よって、移動局装置から受信品質情報のために使用される変調シンボル数ＮｃｓはＭｃ，Ｃｃを用いて下記のような式で表すことができる。
Ｎｃｓ＝ＣｏｎＲ×Ｍｃ×１／Ｃｃ×β
ここで、情報維持型の配置方法は、基地局装置からのＲＲＣシグナリングによって設定された維持値によって、常に一定の受信品質情報の情報量を送信する配置方法であるため、Ｂｃは下記の式で設定されることになる。
Ｂｃ＝ＣｏｎＲ
すなわち、上りリンクデータに使用される変調シンボル数Ｎｄｓは、下記の式で表される。
Ｎｄｓ＝Ｎｒｂｘ１６８−Ｎｃｓ−γ
ここで、α、β、γは係数であり、リソースブロック内に含まれるリファレンスシンボル数や、情報に施される拡散率などの他の要素によって変動する値である。
【０１０７】
このように、基地局装置から、受信品質情報を配置することができるリソースの最小値および／または最大値を示す情報を含んだＲＲＣシグナリングを送信し、その信号を受信した移動局装置が、上りリンクデータと受信品質情報の配置を切り替えて同時に送信することによって、Ｌ１／Ｌ２グラントに基づいて算出された受信品質情報を送信するリソースが大きいとき（すなわち大きな情報量を持った上りリンクデータを送信するとき）でも、移動局装置がある一定量以上の受信品質情報（大きすぎる情報量を持った受信品質情報）を送信することを避けることができ、受信品質情報の送信による上りリンクのオーバーヘッドが著しく増加してしまうことを避けることができる。また、Ｌ１／Ｌ２グラントに基づいて算出された受信品質情報を送信するリソースが小さいとき（すなわち小さな情報量を持った上りリンクデータを送信するとき）でも、移動局装置がある一定以上の受信品質情報（最小値で設定された受信品質情報）を送信することができ、受信品質情報の品質を一定以上に保つことができる。また、最小値をＬ１／Ｌ２グラントに基づいて算出されうる最小値に設定しておけば、移動局装置が、この最小値を下回るような受信品質情報を送信することを避けることができる。ここで、Ｌ１／Ｌ２グラントに基づいて算出される受信品質情報を送信するリソースが最大値を超えない、最小値を下回らないように算出式で規定しておけばＲＲＣシグナリングを使用して最大値、最小値を設定する必要はない。
【０１０８】
また、基地局装置から、受信品質情報を配置することができるリソースの維持値を示す情報を含んだＲＲＣシグナリングを送信し、その信号を受信した移動局装置が、上りリンクデータと一定の受信品質情報を同時に送信することによって、Ｌ１／Ｌ２グラントで割り当てられたリソースに依存せずに、常に一定量の受信品質情報を送信することができる。
【０１０９】
また、移動局装置が、上りリンクデータと周期的な受信品質情報を送信する際に、情報維持型の配置方法を適用することによって、周期的に一定量の受信品質情報を基地局装置に送信することができる。一方、移動局装置が、上りリンクデータと非周期的な受信品質情報を送信する際に、情報増加型の配置方法を適用することによって、Ｌ１／Ｌ２グラントで割り当てられたリソースに追従した受信品質情報を基地局装置に送信することができる。
【０１１０】
上記で説明してきた本発明の第１の実施形態および第２の実施形態により、基地局装置において、上りリンクを使用して送信する情報（上りリンクデータ、および／または、受信品質情報、および／または、ＨＡＲＱのＡＣＫ／ＮＡＣＫなど）の送信形式（リソース情報（リソースエレメントへの配置）、および／または、変調方式、および／または、符号化率）を指定する制御情報が送信され、移動局装置において、基地局装置から指定された送信形式に基づいて、上りリンクを使用して送信する情報を基地局装置に対して送信することが可能となる。
【０１１１】
以上説明したように、本実施形態の移動局装置は、移動局装置が基地局装置から受信した信号の品質を示す受信品質情報を前記基地局装置へ送信する移動通信システムにおける移動局装置であって、受信品質情報のシンボル数を、受信品質情報の情報量と上りリンクデータの変調方式および符号化率から算出し、算出したシンボル数で受信品質情報を上りリンクデータと共に基地局装置へ送信することを特徴とする。
【０１１２】
また、本実施形態の移動局装置において、前記受信品質情報は、基地局装置によって割り当てられたリソースに対し、周波数の低い側に配置することを特徴とする。
【０１１３】
また、本実施形態の移動局装置は、移動局装置が下りリンクデータに対するＨＡＲＱのＡＣＫ／ＮＡＣＫを前記基地局装置へ送信する移動通信システムにおける移動局装置であって、ＡＣＫ／ＮＡＣＫのシンボル数を、ＡＣＫ／ＮＡＣＫの情報量と上りリンクデータの変調方式および符号化率から算出し、算出したシンボル数でＡＣＫ／ＮＡＣＫを上りリンクデータと共に基地局装置へ送信することを特徴とする。
【０１１４】
また、本実施形態の移動局装置は、移動局装置が基地局装置から受信した信号の品質を示す受信品質情報を前記基地局装置へ送信する移動通信システムにおける移動局装置であって、前記基地局装置によって割り当てられたリソースに依存することなく受信品質情報の情報量を一定とし、前記基地局装置によって指定された上りリンクデータに対する制御情報に応じて受信品質情報のシンボル数を算出し、算出したシンボル数で受信品質情報を上りリンクデータと共に前記基地局装置へ送信することを特徴とする。
【０１１５】
また、本実施形態の移動局装置は、移動局装置が下りリンクデータに対するＨＡＲＱのＡＣＫ／ＮＡＣＫを前記基地局装置へ送信する移動通信システムにおける移動局装置であって、前記基地局装置によって割り当てられたリソースに依存することなくＡＣＫ／ＮＡＣＫの情報量を一定とし、前記基地局装置によって指定された上りリンクデータに対する制御情報に応じてＡＣＫ／ＮＡＣＫのシンボル数を算出し、算出したシンボル数でＡＣＫ／ＮＡＣＫを上りリンクデータと共に前記基地局装置へ送信することを特徴とする。
【０１１６】
また、本実施形態の移動通信システムは、移動局装置が、基地局装置から受信した信号の受信品質を測定し、受信品質情報を前記基地局装置へ送信する一方、前記基地局装置が、前記移動局装置から受信した前記受信品質情報に基づいてリソースの割り当てを行なう移動通信システムであって、基地局装置は、移動局装置が上りリンクを使用して送信する情報の送信形式を指定する制御情報を移動局装置へ送信し、前記移動局装置は、前記制御情報を前記基地局装置から受信した場合は、前記指定された送信形式に基づいて上りリンクデータと受信品質情報とを共に前記基地局装置へ送信することを特徴としている。
【０１１７】
また、本実施形態の移動通信システムにおいて、前記上りリンクを使用して送信する情報の送信形式は、上りリンクデータの送信形式であることを特徴としている。
【０１１８】
このように、基地局装置は、移動局装置が上りリンクを使用して送信する情報の送信形式を指定する制御情報を移動局装置へ送信し、移動局装置は、制御情報を基地局装置から受信した場合は、指定された送信形式に基づいて上りリンクデータと受信品質情報とを共に基地局装置へ送信するので、各情報の配置を指定するための制御信号の送信を省略することができ、また、下りリンクのリソースを有効に活用することができる。また、上りリンクのリソースの割り当て方に基づいて送信形式が特定されることから、上りリンクデータと受信品質情報の配置を変更することができ、各情報の配置を変更するための制御信号の送信を省略することができる。その結果、各情報の配置を変更する際に生じる遅延を短縮することができる。
【０１１９】
また、本実施形態の移動通信システムにおいて、前記基地局装置は、前記制御情報として、周波数成分および時間成分から特定されるリソース情報を前記移動局装置へ送信し、前記移動局装置は、前記基地局装置から受信したリソース情報に対応する上りリンクデータと受信品質情報との配置に基づいた送信形式で、上りリンクデータと受信品質情報とを共に前記基地局装置へ送信することを特徴としている。
【０１２０】
このように、周波数成分および時間成分から特定されるリソース情報を前記移動局装置へ送信することにより、移動局装置が、上りリンクデータと受信品質情報とを共に基地局装置へ送信する際の送信形式を指定することができる。これにより、各情報の配置を指定するための制御信号の送信を省略することができ、また、下りリンクのリソースを有効に活用することができる。
【０１２１】
また、本実施形態の移動通信システムにおいて、前記基地局装置は、前記制御情報として、上りリンクデータの変調方式および符号化率を示す情報を前記移動局装置へ送信し、前記移動局装置は、前記基地局装置から受信した上りリンクデータの変調方式および符号化率を示す情報に対応する受信品質情報の変調方式および符号化率を特定し、前記基地局装置から受信した変調方式および符号化率を示す情報の変調方式および符号化率を施した上りリンクデータと前記特定した変調方式および符号化率を施した受信品質情報とを共に前記基地局装置へ送信することを特徴としている。
【０１２２】
このように、基地局装置は、制御情報として、上りリンクデータの変調方式および符号化率を示す情報を移動局装置へ送信し、移動局装置は、基地局装置から受信した上りリンクデータの変調方式および符号化率を示す情報に対応する受信品質情報の変調方式および符号化率を特定し、基地局装置から受信した変調方式および符号化率を示す情報の変調方式および符号化率を施した上りリンクデータと、特定した変調方式および符号化率を施した受信品質情報とを共に基地局装置へ送信する。これにより、移動局装置が基地局装置に対して送信する受信品質情報が、上りリンクデータの変調方式および符号化率に追従することができ、受信品質情報の送信成功率を向上させることが可能となる。
【０１２３】
また、本実施形態の移動通信システムは、基地局装置が、移動局装置に対してリソースの割り当てを行なう移動通信システムであって、前記基地局装置は、前記移動局装置が上りリンクを使用して送信する情報の送信形式を指定する制御情報を移動局装置へ送信し、前記移動局装置は、前記制御情報を前記基地局装置から受信した場合は、前記指定された送信形式に基づいて上りリンクデータとＡＣＫ／ＮＡＣＫとを共に前記基地局装置へ送信することを特徴としている。
【０１２４】
また、本実施形態の移動通信システムにおいて、前記上りリンクを使用して送信する情報の送信形式は、上りリンクデータの送信形式であることを特徴としている。
【０１２５】
このように、基地局装置は、移動局装置が上りリンクを使用して送信する情報の送信形式を指定する制御情報を移動局装置へ送信し、移動局装置は、制御情報を基地局装置から受信した場合は、指定された送信形式に基づいて上りリンクデータとＡＣＫ／ＮＡＣＫとを共に基地局装置へ送信するので、各情報の配置を指定するための制御信号の送信を省略することができ、また、下りリンクのリソースを有効に活用することができる。また、上りリンクのリソースの割り当て方に基づいて送信形式が特定されることから、上りリンクデータとＡＣＫ／ＮＡＣＫの配置を変更することができ、各情報の配置を変更するための制御信号の送信を省略することができる。その結果、各情報の配置を変更する際に生じる遅延を短縮することができる。
【０１２６】
また、本実施形態の移動通信システムにおいて、前記基地局装置は、前記制御情報として、周波数成分および時間成分から特定されるリソース情報を前記移動局装置へ送信し、前記移動局装置は、前記基地局装置から受信したリソース情報に対応する上りリンクデータとＡＣＫ／ＮＡＣＫとの配置に基づいた送信形式で、上りリンクデータとＡＣＫ／ＮＡＣＫとを共に前記基地局装置へ送信することを特徴とている。
【０１２７】
このように、周波数成分および時間成分から特定されるリソース情報を前記移動局装置へ送信することにより、移動局装置が、上りリンクデータとＡＣＫ／ＮＡＣＫとを共に基地局装置へ送信する際の送信形式を指定することができる。これにより、各情報の配置などを指定するための制御信号の送信を省略することができ、また、下りリンクのリソースを有効に活用することができる。
【０１２８】
また、本実施形態の移動通信システムにおいて、前記基地局装置は、前記制御情報として、上りリンクデータの変調方式および符号化率を示す情報を前記移動局装置へ送信し、前記移動局装置は、前記基地局装置から受信した上りリンクデータの変調方式および符号化率を示す情報に対応するＡＣＫ／ＮＡＣＫの変調方式および符号化率を特定し、前記基地局装置から受信した変調方式および符号化率を示す情報の変調方式および符号化率を施した上りリンクデータと前記特定した変調方式および符号化率を施したＡＣＫ／ＮＡＣＫとを共に前記基地局装置へ送信することを特徴としている。
【０１２９】
このように、基地局装置は、制御情報として、上りリンクデータの変調方式および符号化率を示す情報を移動局装置へ送信し、移動局装置は、基地局装置から受信した上りリンクデータの変調方式および符号化率を示す情報に対応するＡＣＫ／ＮＡＣＫの変調方式および符号化率を特定し、基地局装置から受信した変調方式および符号化率を示す情報の変調方式および符号化率を施した上りリンクデータと、特定した変調方式および符号化率を施したＡＣＫ／ＮＡＣＫとを共に基地局装置へ送信する。これにより、移動局装置が基地局装置に対して送信するＡＣＫ／ＮＡＣＫが、上りリンクデータの変調方式および符号化率に追従することができ、ＡＣＫ／ＮＡＣＫの送信成功率を向上させることが可能となる。
【０１３０】
また、本実施形態の基地局装置は、移動局装置に対して、リソースの割り当てを行なう基地局装置であって、移動局装置が上りリンクデータと受信品質情報とを共に送信する際の送信形式を指定する制御情報を送信信号に含めるスケジューリングを行なうスケジューラ部と、前記制御信号を含む送信信号を前記移動局装置に対して送信する送信部と、を備えることを特徴としている。
【０１３１】
このように、移動局装置が上りリンクデータと受信品質情報とを共に送信する際の送信形式を指定する制御情報を移動局装置へ送信するので、各情報の配置などを指定するための制御信号の送信を省略することができ、また、下りリンクのリソースを有効に活用することができる。
【０１３２】
また、本実施形態の基地局装置において、前記スケジューラ部は、前記制御情報として、周波数成分および時間成分から特定されるリソース情報を前記送信信号に含めるスケジューリングを行なうことを特徴としている。
【０１３３】
このように、周波数成分および時間成分から特定されるリソース情報を移動局装置へ送信することにより、移動局装置が、上りリンクデータと受信品質情報とを共に基地局装置へ送信する際の送信形式を指定することができる。これにより、各情報の配置などを指定するための制御信号の送信を省略することができ、また、下りリンクのリソースを有効に活用することができる。
【０１３４】
また、本実施形態の基地局装置において、前記スケジューラ部は、前記制御情報として、上りリンクデータの変調方式および符号化率を示す情報を前記送信信号に含めるスケジューリングを行なうことを特徴としている。
【０１３５】
このように、制御情報として、上りリンクデータの変調方式および符号化率を示す情報を移動局装置へ送信するので、移動局装置は、その情報に対応する受信品質情報の変調方式および符号化率を特定し、その情報の変調方式および符号化率を施した上りリンクデータと、特定した変調方式および符号化率を施した受信品質情報とを共に基地局装置へ送信することができる。これにより、移動局装置が基地局装置に対して送信する受信品質情報が、上りリンクデータの変調方式および符号化率に追従することができ、受信品質情報の送信成功率を向上させることが可能となる。
【０１３６】
また、本実施形態の基地局装置は、移動局装置に対して、リソースの割り当てを行なう基地局装置であって、移動局装置が上りリンクデータとＡＣＫ／ＮＡＣＫとを共に送信する際の送信形式を指定する制御情報を送信信号に含めるスケジューリングを行なうスケジューラ部と、前記制御信号を含む送信信号を前記移動局装置に対して送信する送信部と、を備えることを特徴としている。
【０１３７】
このように、移動局装置が上りリンクデータとＡＣＫ／ＮＡＣＫとを共に送信する際の送信形式を指定する制御情報を移動局装置へ送信するので、各情報の配置などを指定するための制御信号の送信を省略することができ、また、下りリンクのリソースを有効に活用することができる。
【０１３８】
また、本実施形態の基地局装置において、前記スケジューラ部は、前記制御情報として、周波数成分および時間成分から特定されるリソース情報を前記送信信号に含めるスケジューリングを行なうことを特徴としている。
【０１３９】
このように、周波数成分および時間成分から特定されるリソース情報を移動局装置へ送信することにより、移動局装置が、上りリンクデータとＡＣＫ／ＮＡＣＫとを共に基地局装置へ送信する際の送信形式を指定することができる。これにより、各情報の配置などを指定するための制御信号の送信を省略することができ、また、下りリンクのリソースを有効に活用することができる。
【０１４０】
また、本実施形態の基地局装置において、前記スケジューラ部は、前記制御情報として、上りリンクデータの変調方式および符号化率を示す情報を前記送信信号に含めるスケジューリングを行なうことを特徴としている。
【０１４１】
このように、制御情報として、上りリンクデータの変調方式および符号化率を示す情報を移動局装置へ送信するので、移動局装置は、その情報に対応するＡＣＫ／ＮＡＣＫの変調方式および符号化率を特定し、その情報の変調方式および符号化率を施した上りリンクデータと、特定した変調方式および符号化率を施したＡＣＫ／ＮＡＣＫとを共に基地局装置へ送信することができる。これにより、移動局装置が基地局装置に対して送信するＡＣＫ／ＮＡＣＫが、上りリンクデータの変調方式および符号化率に追従することができ、ＡＣＫ／ＮＡＣＫの送信成功率を向上させることが可能となる。
【０１４２】
また、本実施形態の移動局装置は、基地局装置からリソースの割り当てを受ける移動局装置であって、上りリンクを使用して送信する情報の送信形式を指定する制御情報を前記基地局装置から受信する受信部と、前記受信部が、前記制御情報を前記基地局装置から受信した場合は、前記指定された送信形式に基づいて上りリンクデータと受信品質情報とを共に前記基地局装置へ送信する送信部と、を備えることを特徴としている。
【０１４３】
また、本実施形態の移動局装置において、前記上りリンクを使用して送信する情報の送信形式は、上りリンクデータの送信形式であり、前記受信部は、上りリンクデータの送信形式から受信品質情報の送信形式を自動的に認識することを特徴としている。
【０１４４】
このように、制御情報を基地局装置から受信した場合は、指定された送信形式に基づいて上りリンクデータと受信品質情報とを共に基地局装置へ送信するので、基地局装置は、各情報の配置などを指定するための制御信号の送信を省略することができ、また、下りリンクのリソースを有効に活用することができる。また、上りリンクのリソースの割り当て方に基づいて送信形式が特定されることから、上りリンクデータと受信品質情報の配置を変更することができ、各情報の配置を変更するための制御信号の送信を省略することができる。その結果、各情報の配置を変更する際に生じる遅延を短縮することができる。
【０１４５】
また、本実施形態の移動局装置において、前記受信部が、前記制御情報として、周波数成分および時間成分から特定されるリソース情報を前記基地局装置から受信した場合、前記送信部は、前記リソース情報に対応する上りリンクデータと受信品質情報との配置に基づいた送信形式で、上りリンクデータと受信品質情報とを共に前記基地局装置へ送信することを特徴としている。
【０１４６】
このように、周波数成分および時間成分から特定されるリソース情報を基地局装置から受信した場合、上りリンクデータと受信品質情報とを共に基地局装置へ送信する際の送信形式が指定されることとなる。これにより、基地局装置から各情報の配置などを指定するための制御信号の送信を省略することができ、また、下りリンクのリソースを有効に活用することができる。
【０１４７】
また、本実施形態の移動局装置において、前記受信部が、前記制御情報として、上りリンクデータの変調方式および符号化率を示す情報を前記基地局装置から受信した場合、前記送信部は、前記基地局装置から受信した上りリンクデータの変調方式および符号化率を示す情報に対応する受信品質情報の変調方式および符号化率を特定し、前記基地局装置から受信した変調方式および符号化率を示す情報の変調方式および符号化率を施した上りリンクデータと前記特定した変調方式および符号化率を施した受信品質情報とを共に前記基地局装置へ送信することを特徴としている。
【０１４８】
このように、制御情報として、上りリンクデータの変調方式および符号化率を示す情報を基地局装置から受信した場合、その情報に対応する受信品質情報の変調方式および符号化率を特定し、その情報の変調方式および符号化率を施した上りリンクデータと、特定した変調方式および符号化率を施した受信品質情報とを共に基地局装置へ送信する。これにより、移動局装置が基地局装置に対して送信する受信品質情報が、上りリンクデータの変調方式および符号化率に追従することができ、受信品質情報の送信成功率を向上させることが可能となる。
【０１４９】
また、本実施形態の移動局装置は、基地局装置からリソースの割り当てを受ける移動局装置であって、上りリンクを使用して送信する情報の送信形式を指定する制御情報を前記基地局装置から受信する受信部と、前記受信部が、前記制御情報を前記基地局装置から受信した場合は、前記指定された送信形式に基づいて上りリンクデータとＡＣＫ／ＮＡＣＫとを共に前記基地局装置へ送信する送信部と、を備えることを特徴としている。
【０１５０】
また、本実施形態の移動局装置において、前記上りリンクを使用して送信する情報の送信形式は、上りリンクデータの送信形式およびＡＣＫ／ＮＡＣＫの送信形式であることを特徴としている。
【０１５１】
また、本実施形態の移動局装置において、前記上りリンクを使用して送信する情報の送信形式は、上りリンクデータの送信形式であり、前記受信部は、上りリンクデータの送信形式からＡＣＫ／ＮＡＣＫの送信形式を自動的に認識することを特徴としている。
【０１５２】
このように、制御情報を基地局装置から受信した場合は、指定された送信形式に基づいて上りリンクデータとＡＣＫ／ＮＡＣＫとを共に基地局装置へ送信するので、基地局装置は、各情報の配置などを指定するための制御信号の送信を省略することができ、また、下りリンクのリソースを有効に活用することができる。また、上りリンクのリソースの割り当て方に基づいて送信形式が特定されることから、上りリンクデータとＡＣＫ／ＮＡＣＫの配置を変更することができ、各情報の配置を変更するための制御信号の送信を省略することができる。その結果、各情報の配置を変更する際に生じる遅延を短縮することができる。
【０１５３】
また、本実施形態の移動局装置において、前記受信部が、前記制御情報として、周波数成分および時間成分から特定されるリソース情報を前記基地局装置から受信した場合、前記送信部は、前記リソース情報に対応する上りリンクデータと受信品質情報との配置に基づいた送信形式で、上りリンクデータとＡＣＫ／ＮＡＣＫとを共に前記基地局装置へ送信することを特徴としている。
【０１５４】
このように、周波数成分および時間成分から特定されるリソース情報を基地局装置から受信した場合、上りリンクデータとＡＣＫ／ＮＡＣＫとを共に基地局装置へ送信する際の送信形式が指定されることとなる。これにより、基地局装置から各情報の配置などを指定するための制御信号の送信を省略することができ、また、下りリンクのリソースを有効に活用することができる。
【０１５５】
また、本実施形態の移動局装置において、前記受信部が、前記制御情報として、上りリンクデータの変調方式および符号化率を示す情報を前記基地局装置から受信した場合、前記送信部は、前記基地局装置から受信した上りリンクデータの変調方式および符号化率を示す情報に対応するＡＣＫ／ＮＡＣＫの変調方式および符号化率を特定し、前記基地局装置から受信した変調方式および符号化率を示す情報の変調方式および符号化率を施した上りリンクデータと前記特定した変調方式および符号化率を施したＡＣＫ／ＮＡＣＫとを共に前記基地局装置へ送信することを特徴としている。
【０１５６】
このように、制御情報として、上りリンクデータの変調方式および符号化率を示す情報を基地局装置から受信した場合、その情報に対応するＡＣＫ／ＮＡＣＫの変調方式および符号化率を特定し、その情報の変調方式および符号化率を施した上りリンクデータと、特定した変調方式および符号化率を施したＡＣＫ／ＮＡＣＫとを共に基地局装置へ送信する。これにより、移動局装置が基地局装置に対して送信するＡＣＫ／ＮＡＣＫが、上りリンクデータの変調方式および符号化率に追従することができ、ＡＣＫ／ＮＡＣＫの送信成功率を向上させることが可能となる。
【０１５７】
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【０１５８】
１００  基地局装置
１０１  データ制御部
１０２  変調符号化部
１０３  マッピング部
１０４  ＩＦＦＴ部
１０５  無線送信部
１０６  無線受信部
１０７  ＦＦＴ部
１０８  復調復号化部
１０９  データ抽出部
１１０  スケジューラ部
１１１  送信情報制御部
１１１ａ  変調符号制御部
１１１ｂ  周波数選択スケジューラ部
１１２  アンテナ
２００  移動局装置
２０１  データ制御部
２０２  変調符号化部
２０３  マッピング部
２０４  ＩＦＦＴ部
２０５  無線送信部
２０６  無線受信部
２０７  ＦＦＴ部
２０８  復調復号化部
２０９  データ抽出部
２１０  受信品質情報制御部
２１０ａ  受信品質情報生成部
２１０ｂ  受信品質測定部
２１１  アンテナ
【図１】
2010104033.tif 000003
【図２】
2010104033.tif 000004
【図３】
2010104033.tif 000005
【図４】
2010104033.tif 000006
【図５】
2010104033.tif 000007
【図６】
2010104033.tif 000008
【図７】
2010104033.tif 000009
【図８】
2010104033.tif 000010
【図９】
2010104033.tif 000011
【図１０】
2010104033.tif 000012
【図１１】
2010104033.tif 000013
【図１２】
2010104033.tif 000014
【図１３】
2010104033.tif 000015
【図１４】
2010104033.tif 000016